(57)【要約】【課題】プリンタ機能にエラーが発生しても、スキャナ機能の読取り動作を停止することなく、画像処理装置を有効に動作させること。【解決手段】原稿を読取って画像データに変換する読取部２と、前記画像データを記録媒体に印刷する画像形成部３と、前記画像形成部３にエラーがあるかどうか判定し、エラーがある場合は、通信部４を介して前記画像データを外部の記憶手段１２に格納し、前記画像形成部３のエラーが解消したら、通信部４を介して前記外部の記憶手段１２より前記画像データを受取り、前記画像形成部３に画像データの印刷を指示する制御部を有する画像処理装置である。【選択図】    図1
2010154170.tif 000002
【特許請求の範囲】
【請求項１】
原稿を読取って画像データに変換する読取部と、
前記画像データを記録媒体に印刷する画像形成部と、
外部の記憶手段と前記画像データを送受信する通信部と、
前記画像形成部に障害があるかどうか判定し、障害がある場合は、前記通信部を介して前記画像データを外部の記憶手段に送出し、前記画像形成部の障害が解消した場合は、前記通信部を介して前記外部の記憶手段より前記画像データを受入れ、前記画像形成部に画像データの印刷を指示する制御部を有することを特徴とする画像処理装置。
【請求項２】
大容量記憶手段と、
前記大容量記憶手段と通信手段を介して接続される画像処理装置とからなり、
前記画像処理装置は、原稿を読取って画像データに変換する読取部と、
前記画像データを記録媒体に印刷する画像形成部と、
大容量記憶手段と前記通信手段を介して前記画像データを送受信する通信部と、
前記画像形成部に障害があるかどうか判定し、障害がある場合は、前記通信部を介して前記画像データを前記大容量記憶手段に格納し、前記画像形成部の障害が解消した場合は、前記通信部を介して前記大容量記憶手段より前記画像データを読出し、前記画像形成部に画像データの印刷を指示する制御部とを有することを特徴とする画像処理システム。
【請求項３】
画像データを記録媒体に印刷する画像形成部と、
通信回線から受信データを受信し、前記受信データに基づいた画像データを前記画像形成部に送り、外部の記憶手段と前記画像データを送受信する通信部と、
前記画像形成部に障害があるかどうか判定し、障害がある場合は、前記通信部を介して前記画像データを外部の記憶手段に送出し、前記画像形成部の障害が解消した場合は、前記通信部を介して前記外部の記憶手段より前記画像データを受入れ、前記画像形成部に画像データの印刷を指示する制御部を有することを特徴とする画像処理装置。
【請求項４】
大容量記憶手段と、
前記大容量記憶手段と通信手段を介して接続される画像処理装置とからなり、
前記画像処理装置は、
画像データを記録媒体に印刷する画像形成部と、
前記通信手段から受信データを受信し、前記受信データに基づいた画像データを前記画像形成部に送り、大容量記憶手段と前記通信手段を介して前記画像データを送受信する通信部と、
前記画像形成部に障害があるかどうか判定し、障害がある場合は、前記通信部を介して前記画像データを前記大容量記憶手段に格納し、前記画像形成部の障害が解消した場合は、前記通信部を介して前記大容量記憶手段より前記画像データを読出し、前記画像形成部に画像データの印刷を指示する制御部とを有することを特徴とする画像処理システム。
【請求項５】
読取り又は受信により画像データを取得する画像データ取得工程と、
前記画像データ取得工程により取得した前記画像データを記録媒体に印刷する画像形成工程と、
前記画像形成工程に障害があるかどうか判定する障害判定工程と、
障害判定工程の結果障害がある場合は、前記画像データ取得工程により取得した前記画像データを外部の記憶手段に送出する画像データ送出工程と、
前記障害判定工程の結果障害が解消した場合は、前記外部の記憶手段より前記画像データを受入れる画像データ受入工程とを含むことを特徴とする画像処理方法。
【発明の詳細な説明】
【技術分野】
【０００１】
本発明はプリンタ機能、スキャナ機能、ＦＡＸ機能など複数の機能を有する複合画像処理装置に関する。
【背景技術】
【０００２】
従来、プリンタ機能、スキャナ機能、ＦＡＸ機能など複数の機能を有する複合画像処理装置において、例えば複数枚の原稿をコピーしている時、プリンタ機能に「用紙なし」の障害（以下エラーという）が発生した場合、プリンタ機能のみならず、スキャナ機能の動作も停止してしまい、エラーが解除されるまで次のユーザが使用できなかった。
【０００３】
このようなとき、プリンタ機能に「用紙なし」などのエラーが発生した場合は、スキャナ機能により読取った画像データを画像処理装置内の画像メモリに格納するという技術がある。
【０００４】
また、特開２００８−１８２６９０号公報（特許文献１）には、画像処理装置に何らかのエラーが発生した場合であっても、画像データをネットワーク上に存在する他の画像処理装置に転送し、画像形成を継続することを可能にした画像処理装置が開示されている。
【特許文献１】特開２００８−１８２６９０号公報
【発明の開示】
【発明が解決しようとする課題】
【０００５】
しかしながら従来の画像処理装置では、読取った画像データは大容量なので、画像データを格納するためには、画像処理装置に大容量のメモリが必要であるという問題があった。また、ネットワーク上に存在する他の画像処理装置に出力をすると、どの画像処理装置で出力したのか、判らなくなるという問題があった。
【０００６】
本発明が解決しようとする課題は、プリンタ機能にエラーが発生しても、スキャナ機能の読取り動作を停止するなど、画像処理装置を停止することなく、画像処理装置を有効に動作させることにある。また、大容量の画像メモリを必要としない画像処理装置を提供することにある。
【課題を解決するための手段】
【０００７】
上記課題を解決するために本発明は、原稿を読取って画像データに変換する読取部と、前記画像データを記録媒体に印刷する画像形成部と、前記画像形成部にエラーがあるかどうか判定し、エラーがある場合は、通信部を介して前記画像データを外部の記憶手段に送出し、前記画像形成部のエラーが解消した場合は、通信部を介して前記外部の記憶手段より前記画像データを受入れ、前記画像形成部に画像データの印刷を指示する制御部を有することを特徴とする画像処理装置である。
【発明の効果】
【０００８】
本発明の画像処理装置によれば、プリンタ機能にエラーが発生しても、スキャナ機能の読取り動作を停止するなどの画像処理装置を停止することなく、画像処理装置を有効に動作することができる。また、大容量の画像メモリを必要としない画像処理装置を提供することができる。また、プリンタ機能のエラーが解除した場合、外部の装置に待避させた画像データを自動的に印刷する画像処理装置を提供することができる。
【発明を実施するための最良の形態】
【０００９】
（第１の実施の形態）
以下、第１の実施の形態を図面に従って説明する。図１は第１の実施の形態に関する複合画像処理装置の構成を示すブロック図である。複合画像処理装置１は、プリンタ機能、スキャナ機能、ＦＡＸ機能など複数の機能を有し、その構成は読取部２、画像形成部３、通信部４、操作部５及び登録部６からなる。
【００１０】
読取部２は原稿の画像を読取り、読取った画像データを画像形成部３又は通信部４へ出力するユニットである。当該読取部２は、原稿の画像を読取る読取手段２−２と、読取った画像データを格納する読取部メモリ２−１と、読取部２内の各種動作を制御する読取部制御手段２−３を有する。
【００１１】
画像形成部３は読取部２から出力された画像データ又は通信部４を介して外部装置１１から送信されてくる印刷データに応じて画像を形成するユニットである。当該画像形成部３は、画像データを格納する画像形成部メモリ３−１と、画像データを記録媒体に印刷する画像形成手段３−２と、画像形成部３内の各種動作を制御する画像形成部制御手段３−３を有する。
【００１２】
通信部４は通信手段を介して外部装置１１とのデータの送受信を制御するユニットであり、通信手段としてはネットワークＩ／Ｆ７１、ＵＳＢＩ／Ｆ７２及びＦＡＸ通信の場合の電話回線７３である。当該通信部４は、Ｉ／Ｏインターフェース手段４−１と、通信部４内の各種動作を制御する通信部制御手段４−２を有する。
【００１３】
操作部５は入力のためのスイッチ類５１と、表示のためのＬＣＤ５２からなるユニットである（図５参照）。前記スイッチ類５１は、複合画像処理装置１の動作を指示し、動作モードの設定等を決定する。前記ＬＣＤ５２は、複合画像処理装置１の状態や操作手順の案内等を表示する。詳細は後述する。
【００１４】
登録部６は読取部２が読取った画像データを外部装置１１へ転送する為に必要な設定情報が格納されている。前記設定情報には外部装置１１のＩＰアドレス等が含まれ、操作部５を介して入力され、前記登録部６へ登録される。
【００１５】
外部装置１１は複合画像処理装置１とネットワークＩ／Ｆ７１を介して接続される。前記外部装置１１は、データの送受信を制御する通信制御部１３と、転送されてくる画像データを格納する格納部１２を有する。
【００１６】
図２は第１の実施の形態に関する複合画像処理装置１のコピー動作時の画像データの流れを示す説明図である。同図（ａ）は通常のコピー動作を示す。読取部２で読取った画像データは読取部メモリ２−１に一旦格納され、その後、読取部２から画像形成部３に送られる。そして、画像形成部３に送られた画像データは、画像形成部メモリ３−１に格納され、画像形成に適する形式に編集され、画像形成手段３−２により記録媒体に印刷される。
【００１７】
同図（ｂ）は待避処理を行なった場合のコピー動作を示す。読取部２で読取った画像データは読取部メモリ２−１に一旦格納されるが、画像形成部３にエラーがあるため当該画像形成部３には送らず、待避のため通信部４を介して外部装置１１に転送される。その後、外部装置１１の格納部１２に格納された画像データは、通信部４によって返送され、画像形成部３に送られる。そして、画像形成部３に送られた画像データは、画像形成部メモリ３−１に格納され、画像形成に適する形式に編集され、画像形成手段３−２により記録媒体に印刷される。
【００１８】
図３は第１の実施の形態に関する複合画像処理装置１のコピー動作における読取部２の動作を示すフローチャートである。
（１）通常のコピー動作の場合は、以下の手順で動作する。まずコピー動作を開始すると、読取部２の読取部制御手段２−３は読取手段２−２を制御し、１ページ目の原稿の画像を読込んで、読取部２内の読取部メモリ２−１に画像データを格納する（Ｓ１０１）。読取部制御手段２−３は画像形成部３と通信を行い、画像形成部３にエラーが発生しているかチェックする（Ｓ１０２）。
【００１９】
読取部制御手段２−３は画像形成部３にエラーが発生していないことを確認すると、読取った画像データを画像形成部３へ送る（Ｓ１０７）。読取部制御手段２−３は、次に読込む原稿があるかチェックし、原稿がある場合はＳ１０１からの動作を繰返し、原稿がない場合は動作を終了する（Ｓ１０８）。
【００２０】
（２）次に、コピー動作を開始したところ、画像形成部３に「用紙なし」のエラーが発生していたが、直ぐにエラーが解除され、コピー動作を継続した場合は、以下の手順で動作する。まずコピー動作を開始すると、読取部制御手段２−３は読取手段２−２を制御し、１ページ目の原稿の画像を読込んで、読取部２内の読取部メモリ２−１に画像データを格納する（Ｓ１０１）。読取部制御手段２−３は画像形成部３と通信を行い、画像形成部３にエラーが発生しているかチェックする（Ｓ１０２）。
【００２１】
読取部制御手段２−３は画像形成部３に「用紙なし」のエラーが発生していることを確認すると、読取部制御手段２−３は操作部５と通信を行い、読取った画像データの待避指示があるかチェックする（Ｓ１０３）。読取部制御手段２−３は読取った画像データの待避指示がないことを確認すると、読取部２は画像形成部３と通信を行い、画像形成部３にエラーが発生しているか、再度チェックする（Ｓ１０２）。
【００２２】
読取部制御手段２−３は画像形成部３の「用紙なし」のエラーが解除されていることを確認し、画像形成部３へ読取った画像データを送る（Ｓ１０７）。読取部制御手段２−３は次に読込む原稿があるかチェックし、原稿がある場合はＳ１０１からの動作を繰返し、原稿がない場合は動作を終了する（Ｓ１０８）。
【００２３】
（３）次に、コピー動作を開始したところ、画像形成部３に「用紙なし」のエラーが発生し、直ぐにはエラー状態が解除できないので、外部装置１１への待避指示を行なう場合は、以下の手順で動作する。まずコピー動作を開始すると、読取部制御手段２−３は読取手段２−２を制御し、１ページ目の原稿の画像を読込んで読取部２内の読取部メモリ２−１に画像データを格納する（Ｓ１０１）。読取部制御手段２−３は画像形成部３と通信を行い、画像形成部３にエラーが発生しているかチェックする（Ｓ１０２）。
【００２４】
読取部制御手段２−３は、画像形成部３に「用紙なし」のエラーが発生していることを確認すると、読取部制御手段２−３は操作部５と通信を行い、読取った画像データの待避指示があるかチェックする（Ｓ１０３）。読取部制御手段２−３は読取った画像データの待避指示があることを確認すると、読取部制御手段２−３は画像データを通信部４へ転送する（Ｓ１０４）。読取部制御手段２−３は次に読込む原稿があるかチェックし、原稿がある場合はＳ１０６からの動作を繰返し、原稿がない場合は動作を終了する（Ｓ１０５）。
【００２５】
図４は第１の実施の形態に関する複合画像処理装置１のコピー動作における通信部４の動作を示すフローチャートである。
（４）外部装置１１への待避を行い、画像形成部３のエラーが解除された後、画像データの印刷を行なう場合は、以下の手順で動作する。
【００２６】
図４(ａ)において、通信部制御手段４−２は、操作部５からの待避指示があるかどうかチェックする（Ｓ２０１）。通信部制御手段４−２は、操作部５からの待避指示があることを確認すると、読取部２から送られる画像データを受信する。そして登録部６に登録されている設定情報に基づいて、あらかじめ設定されている外部装置１１へＩ／Ｏインターフェース手段４−１を介して画像データを転送する（Ｓ２０２）。ここで、画像データの転送は、通常のファイル転送によって転送する。転送元と転送先の特定はＩＰアドレスによって行なう。
【００２７】
通信部制御手段４−２は、外部装置１１へ転送する画像データが終了したか否かチェックし、まだ続きのデータがある場合は、Ｓ２０２からの動作を繰返す（Ｓ２０３）。通信部制御手段４−２は、外部装置１１へ転送する画像データが終了した場合は、待避された画像データ（待避データ）の印刷モードへ移行する（Ｓ２０４）。
【００２８】
次に、図４(ｂ)において、通信部制御手段４−２は、画像形成部３と通信を行い、画像形成部３にエラーが発生しているかチェックする（Ｓ３０１）。通信部制御手段４−２は、画像形成部３の「用紙なし」のエラーが解除されていることを確認すると、当該通信部制御手段４−２は、Ｉ／Ｏインターフェース手段４−１を介して外部装置１１へ転送された画像データの送信指示を行なう（Ｓ３０２）。ここで、画像データの返信は、転送時と同様に通常のファイル転送によって転送する。ＩＰアドレスによって返信元と返信先の特定が行なわれる。
【００２９】
通信部制御手段４−２は、外部装置１１から送られる画像データを受信し、画像形成部３へ送信する（Ｓ３０３）。通信部制御手段４−２は、外部装置１１から送られる画像データが終了したか否かチェックし、まだ続きのデータがある場合はＳ３０２からの動作を繰返し、終了した場合は動作を終了する（Ｓ３０４）。
【００３０】
図５は前記操作部５において待避指示を入力する場合の説明図である。前述のように、操作部５は入力のためのスイッチ類５１と、表示のためのＬＣＤ５２からなる。前記スイッチ類５１は、「メニュー＋」スイッチ５３と、「メニュー−」スイッチ５４と、「設定」スイッチ５５及び「戻る」スイッチ５６からなる。ＬＣＤ５２にはメニュー表示欄５７と、設定項目欄５８と設定値欄５９を表示する。操作者は、前記スイッチ類５１の各種スイッチを選択押下して、まずメニュー表示欄５７を「インサツメニュー」に選択する。その後、設定項目欄５８について、当該プリンタ機能にエラーが発生した場合、画像データを待避の可否を意味する「タイヒバショ」を選択する。待避しないことを選択する場合は「タイヒセズ」を設定する。そして、設定値欄５９を１番目の外部装置を意味する「ガイブメモリ１」に選択する。最後に、「設定」スイッチ５５を押下することにより待避指示が完了する。このように操作部５を介して入力された前記設定情報は、待避の可否情報、外部装置１１のＩＰアドレス等が含まれ、前記登録部６へ登録される。
【００３１】
本第１の実施の形態の説明において、前記読取部制御手段２−３及び通信部制御手段４−２をそれぞれ読取部２及び通信部４の内部に設けたが、これに限らず、前記複合画像処理装置１の各部の共通の制御手段を設け、当該共通の制御手段が前記読取部制御手段２−３及び前記通信部制御手段４−３の行なう各種制御を行なうようにしてもよい。
【００３２】
以上のように、第１の実施の形態によれば、プリンタ機能にエラーが発生した場合でも、外部装置１１にデータを転送することにより、スキャナの読取動作を完了させることができ、他のユーザに装置を開放することができるという効果を有する。また、第１の実施の形態によれば、サーバのような外部の装置に画像データを待避させる為、画像処理装置自体に大容量メモリを内蔵する必要がないという効果を有する。また、プリンタ機能のエラーが解除した場合、外部の装置に待避させた画像データを自動的に印刷する画像処理装置を提供することができる。
【００３３】
（第２の実施の形態）
前記第１の実施の形態では、複合画像処理装置のコピー動作の場合について説明したが、第２の実施の形態では、ＦＡＸ受信動作の場合について説明する。図６は第２の実施の形態に関する複合画像処理装置２１の構成を示すブロック図である。複合画像処理装置２１は、読取部２２、画像形成部２３、通信部２４、操作部２５及び登録部２６から構成されている。読取部２２は、原稿の画像を読取り、読取った画像データを画像形成部２３又は通信部２４へ出力するユニットである。
【００３４】
画像形成部２３は、読取部２２から出力された画像データ又は通信部２４を介して外部装置３１から送信されてくる受信データに基づいた画像データから画像を形成するユニットである。当該画像形成部２３は、画像データを格納する画像形成部メモリ２３−１と、受信データを記録媒体に印刷する画像形成手段２３−２と、画像形成部２３内の各種動作を制御する画像形成部制御手段２３−３を有する。
【００３５】
通信部２４は、通信手段を介して外部装置３１とのデータの送受信を制御するユニットであり、通信手段としてはネットワークＩ／Ｆ７１、ＵＳＢＩ／Ｆ７２、ＦＡＸ通信の場合の電話回線７３である。通信部２４には、Ｉ／Ｏインターフェース手段２４−１と、ＦＡＸの受信データを一時格納する受信バッファ２４−２と、通信部２４内の各種動作を制御する通信部制御手段２４−３を有する。受信バッファ２４−２は、画像形成部２３に何らかのエラーが発生して印刷できない状況になった場合や停電等により複合画像処理装置２１の電源が落ちても、一旦受信したデータを保障する為のものであり、不揮発性メモリの使用やバッテリバックアップを施される。
【００３６】
操作部２５は入力のためのスイッチ類５１と、表示のためのＬＣＤ５２からなるユニットである（図５参照）。前記スイッチ類５１は、複合画像処理装置２１の動作を指示し、動作モードの設定等を決定する。前記ＬＣＤ５２は、複合画像処理装置２１の状態や操作手順の案内等を表示する。
【００３７】
登録部２６は通信部２４が受信した受信データに基づいた画像データを外部装置３１へ転送する為に必要な設定情報が格納されている。前記設定情報には外部装置３１のＩＰアドレス等が含まれ、操作部２５を介して入力され、前記登録部２６へ登録される。
【００３８】
外部装置３１は複合画像処理装置２１とネットワークＩ／Ｆ７１を介して接続される。前記外部装置３１は、少なくともデータの送受信を制御する通信制御部３３と転送されてくる画像データを格納する格納部３２を有する。
【００３９】
図７は第２の実施の形態に関する複合画像処理装置２１のＦＡＸ受信動作時の受信データの流れを示す説明図である。同図（ａ）は通常の受信動作を示す。通信部２４で受信した受信データは受信バッファ２４−２に一旦格納され、その後、通信部２４から画像形成部２３に送られる。そして、画像形成部２３に送られた受信データに基づいた画像データは、画像形成部メモリ２３−１に格納され、画像形成に適する形式に編集され、画像形成手段２３−２により記録媒体に印刷される。
【００４０】
同図（ｂ）は待避処理を行なった場合の受信動作を示す。通信部２４で受信した受信データは受信バッファ２４−２に一旦格納されるが、画像形成部２３にエラーがあるため当該画像形成部２３には送らず、待避のため通信部２４を介して外部装置３１に転送される。その後、外部装置３１の格納部３２に格納された画像データは、通信部２４によって返送され、画像形成部２３に送られる。そして、画像形成部２３に送られた画像データは、画像形成部メモリ２３−１に格納され、画像形成に適する形式に編集され、画像形成手段２３−２により記録媒体に印刷される。
【００４１】
次に、第２の実施の形態に関する動作について説明する。前記画像形成部２３に「用紙なし」のエラーが発生し、直ぐにはエラー状態が解除されず、ＦＡＸ受信にて大量のデータを受信し、受信バッファ２４−２がフルになってしまった時、外部装置３１への待避指示を行い、画像形成部２３のエラーが解除された後、外部装置３１へ待避した画像データの印刷を行なう場合は、以下の手順で動作する。
【００４２】
図８は第２の実施の形態に関する複合画像処理装置２１のＦＡＸ受信動作における通信部４の動作を示すフローチャートである。図８（ａ）において、通信部制御手段２４−３は受信バッファ２４−２がフルか否かチェックする（Ｓ４０１）。
【００４３】
通信部制御手段２４−３は、Ｉ／Ｏインターフェース手段２４−１を制御して、電話回線７３から送られる受信データを受信する。そして登録部２６に登録されている設定情報に従って外部装置３１へ受信データに基づいた画像データを転送する（Ｓ４０２）。このとき、画像データの転送は通常のファイル転送方法であり、前記複合画像処理装置２１の特定はＩＰアドレスより行なう。
【００４４】
通信部制御手段２４−３は、外部装置３１へ転送する画像データが終了したか否かチェックし、まだ続きのデータがある場合はＳ４０２からの動作を繰返す（Ｓ４０３）。終了した場合は待避された画像データの印刷モードへ移行する（Ｓ４０４）。
【００４５】
図６（ｂ）において、通信部制御手段２４−３は、画像形成部２３と通信を行い、画像形成部２３にエラーが発生しているかチェックする（Ｓ５０１）。通信部制御手段２４−３は、画像形成部２３の「用紙なし」のエラーが解除されていることを確認すると、Ｉ／Ｏインターフェース手段２４−１を制御して、外部装置３１へ転送された画像データの送信指示を行なう（Ｓ５０２）。このとき、画像データの転送は通常のファイル転送方法であり、前記複合画像処理装置２１の特定はＩＰアドレスより行なう。
【００４６】
通信部制御手段２４−３は、外部装置３１から送られる画像データを受信し、画像形成部２３へ送信する（Ｓ５０３）。通信部制御手段２４−３は、外部装置３１から送られる画像データが終了したか否かチェックし、まだ続きのデータがある場合はＳ５２からの動作を繰返し、終了した場合は動作を終了する（Ｓ５０４）。
【００４７】
本第２の実施の形態の説明において、通信部制御手段２４−３を通信部４の内部に設けたが、これに限らず、前記複合画像処理装置１の各部の共通の制御手段を設け、当該共通の制御手段が前記通信部制御手段２４−３の行なう各種制御を行なうようにしてもよい。
【００４８】
また、本第２の実施の形態の説明において、複合画像処理装置２１のＦＡＸ受信動作の場合について説明したが、これに限らず、複合画像処理装置２１のプリンタ機能の場合についても適用可能である。この場合、前記ネットワークＩ／Ｆ７１に接続された図示しないパーソナルコンピュータから印刷指示を受けた前記複合画像処理装置２１が、前記画像形成部２３によって印刷を行なう場合である。前記画像形成部２３において、「用紙なし」のエラーが発生し、直ぐにはエラー状態が解除されず、外部装置３１への待避指示を行い、画像形成部２３のエラーが解除された後、外部装置３１へ待避した画像データの印刷を行なう。
【００４９】
以上のように、第２の実施の形態によれば、プリンタにエラーが発生し、ＦＡＸの受信バッファ２４−２がフルになった場合でも、外部装置３１にデータを転送することにより、ＦＡＸの受信動作を完了させることができ、ＦＡＸの送信相手に再送を促す必要がないという効果が期待できる。
【００５０】
本発明は、第１の実施の形態及び第２の実施の形態の実施形態に限定されることはなく、例えば、外部装置３１としてＵＳＢメモリやＳＤカードのような外部メモリを使用することも可能である。
【図面の簡単な説明】
【００５１】
【図１】第１の実施の形態に関する複合画像処理装置の構成を示すブロック図である。
【図２】複合画像処理装置のコピー動作時の画像データの流れを示す説明図である。
【図３】複合画像処理装置のコピー動作時の読取部の動作を示すフローチャートである。
【図４】複合画像処理装置のコピー動作時の通信部の動作を示すフローチャートである。
【図５】操作部において待避指示を入力する場合の説明図である。
【図６】第２の実施の形態に関する複合画像処理装置の構成を示すブロック図である。
【図７】複合画像処理装置のＦＡＸ受信動作時の受信データの流れを示す説明図である。
【図８】複合画像処理装置のＦＡＸ受信動作における通信部の動作を示すフローチャートである。
【符号の説明】
【００５２】
１、２１      複合画像処理装置
２、２２      読取部
３、２３      画像形成部
４、２４      通信部
５、２５      操作部
６、２６      登録部
１１、３１    外部装置
１２、３２    格納部
【図１】
2010154170.tif 000003
【図２】
2010154170.tif 000004
【図３】
2010154170.tif 000005
【図４】
2010154170.tif 000006
【図５】
2010154170.tif 000007
【図６】
2010154170.tif 000008
【図７】
2010154170.tif 000009
【図８】
2010154170.tif 000010